(57)【特許請求の範囲】
【請求項１】
記録テープを巻装したリールが収容されるケースと、
前記ケースの下面側に形成され、ドライブ装置の位置決め部材が挿入される位置規制用穴と、
前記ケース下面の前記位置規制用穴の周囲に形成された基準面と、
前記ケースの上面側に凹状に形成され、ドライブ装置に設けられた係合部材が、そのドライブ装置での記録・再生が可能な際には、前記ケースの挿入方向前面に当接するのを回避させる許容部と、
前記許容部に形成される後壁と、を備え、
ケース厚み方向の前記後壁の延長面が、少なくとも前記基準面の領域内にあることを特徴とする記録テープカートリッジ。
【発明の詳細な説明】
【０００１】
【発明の属する技術分野】
本発明は、主にコンピューター等の記録再生媒体として使用される磁気テープ等の記録テープが巻装された単一のリールをケース内に収容してなる記録テープカートリッジに関する。
【０００２】
【従来の技術】
従来から、コンピューター等のデータ記録再生媒体として使用されている磁気テープを単一のリールに巻装し、そのリールをケース内に収容してなる磁気テープカートリッジが知られている。この磁気テープの先端には、リーダーピンやリーダーテープ、リーダーブロックといったリーダー部材が設けられており、そのリーダー部材をドライブ装置側に設けられた引出手段が磁気テープカートリッジの開口から引き出し、それに固着された磁気テープをドライブ装置側の巻取リールに巻装させるようになっている。
【０００３】
また、磁気テープカートリッジの下面に穿設された開孔から現出しているリールの下面中央にはリールギアが環状に刻設されており、ドライブ装置側の回転シャフトに設けられた駆動ギアがそのリールギアに噛合することにより、リールが回転駆動するように構成されている。しかして、磁気テープカートリッジのリール及びドライブ装置の巻取リールを同期して回転させることにより、磁気テープにデータを記録したり、磁気テープに記録されたデータの再生ができる。
【０００４】
【発明が解決しようとする課題】
このような構成の磁気テープカートリッジは、保存時の収容スペースが小さくて済むとともに、大容量の情報を記録できる利点を有しているが、上記したように、各種リーダー部材がドライブ装置側に設けられた引出手段により引き出されたり、リールギアに駆動ギアが噛合されたりする必要上、ドライブ装置内に装填されたときの位置精度が非常に重要な課題になっている。
【０００５】
そこで、本発明は、上記事情に鑑み、ドライブ装置されたときの位置精度の向上を図ることができる記録テープカートリッジを得ることを目的とする。
【０００６】
【課題を解決するための手段】
上記の目的を達成するために、本発明に係る請求項１に記載の記録テープカートリッジは、記録テープを巻装したリールが収容されるケースと、前記ケースの下面側に形成され、ドライブ装置の位置決め部材が挿入される位置規制用穴と、前記ケース下面の前記位置規制用穴の周囲に形成された基準面と、前記ケースの上面側に凹状に形成され、ドライブ装置に設けられた係合部材が、そのドライブ装置での記録・再生が可能な際には、前記ケースの挿入方向前面に当接するのを回避させる許容部と、前記許容部に形成される後壁と、を備え、ケース厚み方向の前記後壁の延長面が、少なくとも前記基準面の領域内にあることを特徴としている。
【０００７】
このような構成にすれば、ドライブ装置での記録・再生が可能な際には、ドライブ装置側の係合部材は、ケースの上面側に形成される許容部により、ケース挿入方向前面との当接が回避される。そして、そのケース挿入方向前面との当接が回避された係合部材は、ドライブ装置に対する記録テープカートリッジの位置規制手段が他に設けられていない場合、例えばケース挿入方向前面に形成された位置規制用凹部に他の係合部材が当接しない場合に、記録テープカートリッジのドライブ装置内への装填に伴って、結果的に凹状許容部の後壁に当接することになる。
【０００８】
したがって、その後壁のケース厚み方向の延長面が、少なくとも記録テープカートリッジの下面側に形成された基準面の領域内に懸かるような構成にすれば、記録テープカートリッジのドライブ装置に対する位置決めで重要な位置規制用穴の位置精度を向上させることができる。
【０００９】
つまり、この記録テープカートリッジは、ドライブ装置側の他の係合部材が、例えばケース挿入方向前面に形成された位置規制用凹部に当接することによって、位置規制用穴と、それに挿入されるドライブ装置側の位置決め部材との位置決めを行うが、その位置規制用凹部が設けられていなかったり、ドライブ装置側に、その位置規制用凹部に当接する係合部材が設けられていない場合でも、ドライブ装置側の位置決め部材が、記録テープカートリッジの位置規制用穴内に好適に挿入されるように、両者の位置決めを、許容部の後壁に当接する係合部材で補助する（位置決めする）ことができる。したがって、ドライブ装置に対する記録テープカートリッジの位置精度を向上させることができる。
【００１０】
【発明の実施の形態】
以下、本発明の実施の形態に係る記録テープカートリッジ（磁気テープカートリッジ）１０を図１乃至図５に基づいて説明する。なお、説明の便宜上、記録テープカートリッジ１０のドライブ装置への装填方向を矢印Ａで示し、それを記録テープカートリッジ１０の前方向（前側）とする。そして、矢印Ａと直交する矢印Ｂ方向を右方向とする。
【００１１】
図１には記録テープカートリッジ１０の全体構成が斜視図にて示されており、図２には記録テープカートリッジ１０の概略分解斜視図が示されている。これらの図で示すように、記録テープカートリッジ１０は、平面視で略矩形状のケース１２内に、情報記録再生媒体である記録テープとしての磁気テープＴを巻装した単一のリール１４を回転可能に収容して構成されている。
【００１２】
ケース１２は、ドライブ装置への装填方向先頭側の１つの角部である右前角部がそれぞれ切り欠かれた一対の上ケース１６と下ケース１８とを互いの周壁１６Ａ、１８Ａを突き合せて接合することで構成されており、内部に磁気テープＴを巻装したリール１４の収容空間が設けられている。そして、上ケース１６及び下ケース１８の周壁１６Ａ、１８Ａが切り取られた角部が磁気テープＴの引き出し用の開口２０とされている。
【００１３】
この開口２０から引き出される磁気テープＴの自由端には、ドライブ装置の引出手段によって係止（係合）されつつ引き出し操作されるリーダーピン２２が接続されている。リーダーピン２２の磁気テープＴの幅方向端部より突出した両端部には、環状溝２２Ａが形成されており、この環状溝２２Ａが引出手段のフック等に係止される。これにより、磁気テープＴを引き出す際に、フック等が磁気テープＴに接触して傷付けない構成である。
【００１４】
また、ケース１２の開口２０の内側には、ケース１２内においてリーダーピン２２を位置決め、保持する上下一対のピン保持部２４が設けられている。ピン保持部２４は、略半円筒形状をしており、その凹部２４Ａ内に直立した状態のリーダーピン２２の両端部が保持される。そして、ピン保持部２４の外周壁の磁気テープＴ引き出し側は開放しており、リーダーピン２２が出入する出入口となっている。
【００１５】
ピン保持部２４の近傍には、板ばね２５が、前壁１２Ａ（周壁１６Ａ、１８Ａのうち、外面が矢印Ａ方向を向く部分）の内面に設けられたばね保持部２７に、その基部が挿入されて固定配置されるようになっており、この板ばね２５の二股状の先端部がリーダーピン２２の上下端に係合してリーダーピン２２をピン保持部２４に保持するようになっている。なお、リーダーピン２２がピン保持部２４に出入する際には、板ばね２５の先端部は適宜弾性変形してリーダーピン２２の移動を許容する構成である。
【００１６】
更に、下ケース１８の中央部には、リール１４の図示しないリールギアを外部に露出するためのギア開口２６が設けられており、リール１４はリールギアがドライブ装置の駆動ギアに噛合されてケース１２内で回転駆動されるようになっている。また、リール１４は、上ケース１６及び下ケース１８の内面にそれぞれ部分的に突設されて、ギア開口２６と同軸的な円形の軌跡上にある内壁としての遊動規制壁２８によってガタつかないように保持されている。
【００１７】
また、ケース１２の前壁１２Ａの右端部には、開口２０の前縁部を規定する上下一対の短い傾斜壁部３０が設けられている。傾斜壁部３０は、開口２０の開放面に沿って屈曲され、ケース１２内への塵埃等の進入を防止する防塵壁となっている。そして、傾斜壁部３０の左方近傍の前壁１２Ａ内側には、上下一対のビスボス３２が連設されている。
【００１８】
また、ケース１２の右壁１２Ｂ（周壁１６Ａ、１８Ａのうち、外面が矢印Ｂ方向を向く部分）の前端部内側には、平面視で、後述するドア５０の外周面に略沿った形状の上下一対の傾斜壁部３４が設けられている。この傾斜壁部３４の前端面が開口２０の後縁を規定しており、その前端部には上下一対のビスボス３６が設けられている。
【００１９】
また、ケース１２の右壁１２Ｂには、ケース１２の内外を連通する窓部としての所定長さのスリット４０が設けられており、後述するドア５０の操作突起５２の露出用とされている。このスリット４０は、右壁１２Ｂを構成する上ケース１６の周壁１６Ａの前側下部を切り欠いて形成され、開口２０側へも開放されている。しかして、上ケース１６におけるビスボス３６の外面は、そのスリット４０から露出するようになっている（図１参照）。
【００２０】
また、下ケース１８の後方側には、周壁１８Ａの上端を除く部分が断面視略「コ」字状にケース１２の内方へ凹むとともに、ケース１２の下面から上方へも凹んだ（底板が切り欠かれた）凹部４８が形成されている。この凹部４８は、ケース１２の左壁にも形成され、例えばドライブ装置の引き込み手段が係合する係合部とされたり、その底面（下向きの面）がドライブ装置内での位置決め用の基準面とされたりするようになっている。
【００２１】
また、その凹部４８の後方側にも周壁１８Ａの上端を除く部分が断面視略「コ」字状にケース１２の内方へ凹むとともに、ケース１２の下面から上方へも凹んだ（底板が切り欠かれた）凹部４６が形成されている。この凹部４６は、ライブラリー装置の把持手段が係合する係合部とされており、このような凹部４６、４８を設けることでケース１２（下ケース１８）の捩り強度が向上される。また、上ケース１６の左壁の上面部分には、平面視略台形状の凹部４４が形成されている。この凹部４４は、開口２０の開放時、ドア５０の開放方向への移動に伴う回転モーメントをキャンセルするための保持部材（図示省略）が係合する係合部とされている。
【００２２】
また、上ケース１６及び下ケース１８において、傾斜壁部３０の近傍と、開口２０近傍から後壁の近傍まで、後述するドア５０の凸部５１を内面側及び外面側の両側方から挟み込むように支持する所定高さ（例えば、１．０ｍｍ〜１．５ｍｍ程度）のガイド壁部４２が立設されている。このガイド壁部４２は、上ケース１６と下ケース１８とではその長さが異なっており、上ケース１６側の方が下ケース１８側よりも後側が長く形成されている。これは、各種情報が記憶されたメモリーボード（図示省略）が、下面側から読み取るドライブ装置と、後壁側から読み取るライブラリー装置での検知が可能となるように、下ケース１８の後部内壁１８Ｂの右壁１２Ｂ側に、所定角度で傾斜配置されるからである。
【００２３】
また、ガイド壁部４２の後端部は平面視略円弧状に閉塞されており、ドア５０がそれ以上後方へ移動できないように、上下それぞれ最も後側の凸部５１を規制するようになっている。一方、ガイド壁部４２の前端部は開放されており、リーダーピン２２の出入時に、そのリーダーピン２２の出入を妨げないような位置、例えばピン保持部２４よりも後方側で、かつ開口幅の約半分程度の位置まで延設されている。
【００２４】
また、上ケース１６内面及び下ケース１８内面には、その開口２０から露出している外側のガイド壁部４２と一体になって平面視略台形状をなすリブ３８が、そのガイド壁部４２と同等の高さになるように立設されており、このリブ３８によって開口２０部分における上ケース１６及び下ケース１８の強度が確保されるようになっている。なお、内側のガイド壁部４２はピン保持部２４と一体になるように連設されているが、ピン保持部２４の高さは、一体に連設されたガイド壁部４２の高さと略同等か、それよりも高く形成されていることが望ましい。
【００２５】
以上、説明した上ケース１６と下ケース１８とは、開口２０の縁部の近傍に位置する各ビスボス３２、３６に下側から図示しないビスがねじ込まれて、固定（接合）される構成である。これによって、傾斜壁部３０（前壁１２Ａ）及び傾斜壁部３４（右壁１２Ｂ）の各自由端によって規定され、強度的に不利で落下によって地面等に衝突しやすい開口２０両端のコーナー部は強固に接合され、ケース１２を落しても、記録テープカートリッジ１０全体の重量で変形したり座屈して位置ズレしたりしない構成である。
【００２６】
また、その開口２０は、遮蔽部材としてのドア５０によって開閉されるようになっている。ドア５０は、少なくとも開口２０を閉塞する部分の板幅（高さ）が開口２０の開口高さと略同一に形成され、その板長が開口２０の開口幅よりも充分大きく形成されている。そして、所定の円周に沿って移動できるように、板厚方向に湾曲した平面視略円弧状に形成されている。
【００２７】
このドア５０は、その先端部が傾斜壁部３０近傍のガイド壁部４２に入り込んだ状態で開口２０を閉塞し、上記した所定の円周に沿って略後方へスライド移動（回動）して開口２０を開放し、その先端近傍の外周面がビスボス３６近傍に達すると、開口２０を完全に開放する構成になっている。そして、開口２０を開放する際と反対方向にスライド移動（回動）することにより、開口２０を閉塞する構成になっている。
【００２８】
このように、ドア５０は、その移動軌跡である所定の円周に対応した円弧状に湾曲形成されており、その回動中心は、本実施の形態では、左右方向の位置がケース１２の左端近傍に、前後方向の位置がスリット４０の後端近傍に設定されている。これにより、ドア５０の移動軌跡は、スリット４０の後端近傍において、ケース１２の右壁１２Ｂに最も近接する。なお、ドア５０の回転中心及び半径は、ドライブ装置からの要求により決まる開口２０前後の縁部（傾斜壁部３０及びビスボス３６）の位置やライブラリー装置からの要求により決まる開口２０の開放面の角度等に応じて適宜決められればよい。
【００２９】
また、ドア５０の湾曲した長手寸法は、その後端部が開口２０の閉塞状態において、ケース１２の凹部４８よりも後方の（凹部４６近傍の）右後角部内に位置するように決められており、ドア５０の後下部は、下ケース１８の後部内壁側に所定角度で傾斜配置されたメモリーボード（図示省略）を回避するために、斜めに切り欠かれている。
【００３０】
また、そのドア５０の上面及び下面には、ガイド壁部４２のガイド面（互いに対向している内側の面）と、ガイド壁部４２間の上ケース１６内面及び下ケース１８内面にそれぞれ当接して、ドア５０を開口２０の開閉方向に案内する凸部５１が突設されている。この凸部５１は、ドア５０の長手方向に沿って長い平面視略楕円形状に形成され、上面及び下面にそれぞれ４つずつ、最も後側の凸部５１を除いて上下対称に、かつ、ガイド壁部４２の高さと略同等の高さになるように突設されている。なお、最後側の凸部５１が上下対称でないのは、ドア５０の後下部が斜めに切り欠かれていることによる。
【００３１】
このような凸部５１を設けると、ガイド壁部４２のガイド面並びにガイド壁部４２間の上ケース１６内面及び下ケース１８内面と、ドア５０との摺動抵抗（摩擦）を低減することができ、ドア５０を抵抗少なく、スムーズに摺動させることが可能となる。更に、凸部５１が平面視略楕円形状に形成されていると、例えば平面視略円形状に形成されているものよりも耐衝撃性に優れる。したがって、落下等の衝撃により、ドア５０に開閉方向以外から力が加えられても、その凸部５１が折れるような心配はない。
【００３２】
また、ドア５０の長手方向中央部よりも若干前方（ドア５０の板幅が異なる境界部分近傍）における外周面には、操作部としての操作突起５２がドア５０の径方向に沿って突設されている。操作突起５２は、スリット４０からケース１２の外側に露出されるようになっており、開口２０の閉塞状態ではビスボス３６の後端から僅かに離間して位置するとともに、スリット４０の前方へ開放された部分から操作可能とされている。そして、開口２０の開放状態では、操作突起５２は、スリット４０の後縁から僅かに離間して位置するようになっており、このとき、ガイド壁部４２の後端部には、最後端側の凸部５１が当接している。
【００３３】
なお、操作突起５２露出用のスリット４０によってケース１２の内外が連通されるが、このスリット４０はビスボス３６と、ケース１２内の略全高に亘るドア５０によって常時ほぼ閉塞され、かつ、内壁としての遊動規制壁２８によって、リール１４に巻装された磁気テープＴへの塵埃等の付着が防止されるようになっている。
【００３４】
また、ドア５０の後端近傍の内周面には、背面視略Ｌ字状のばね保持部５４が一体に突設され、下ケース１８の内面には、円柱状の係止部５５が上方に向かって突設されている。そして、コイルばね５６の両端にはリング状の取付部５６Ａ、５６Ｂがそれぞれ形成され、その一方の取付部５６Ｂが係止部５５に上方から挿入されることにより取り付けられ、他方の取付部５６Ａがばね保持部５４に上方から挿入されることにより取り付けられている。
【００３５】
このように、コイルばね５６を取り付ける係止部５５とばね保持部５４がそれぞれ上方（同じ方向）に向かって突設されていると、コイルばね５６はその上方（同じ方向）側からの挿入によって取り付けることが可能となるので、ドア５０及びコイルばね５６の組み立て性（ケース１２内への組み込み性）を向上させることができる。こうして取り付けられたコイルばね５６の付勢力によって、ドア５０は開口２０の閉塞方向に常時付勢され、通常開口２０を閉塞する構成である。
【００３６】
また、このような付勢手段としてのコイルばね５６は、ドア５０が開口２０の閉塞状態でケース１２の右後角部に至る長さであるため、右後角部における遊動規制壁２８と右壁１２Ｂ（周壁１６Ａ、１８Ａ）との間の空間を有効利用して配設することができる。また、ドア５０の前端部内面には、開口２０閉塞時において、リーダーピン２２の上端部側面及び下端部側面に当接するストッパー５８が突設されており、落下衝撃等によってリーダーピン２２がピン保持部２４から脱落するのを、より一層防止できるようになっている。
【００３７】
次に、ドライブ装置に対する記録テープカートリッジ１０の位置決め手段について説明する。遊動規制壁２８の開口２０近傍の端部には、内部に位置規制用穴が形成された袋部２８Ａが連設されている。また、ケース１２の左前角部の内側においては、矢印Ｂ方向に長い長穴である位置規制用穴２９Ａ（図４、図５参照）が形成された袋部２９が遊動規制壁２８とは離間して設けられている。
【００３８】
袋部２８Ａ、２９は、矢印Ｂ方向に沿った一直線上に配置されており、袋部２８Ａの位置規制用穴は平面視正方形状の角柱状に穿設されている（図示省略）。なお、この袋部２８Ａが連設された端部を除いて、各遊動規制壁２８は、それぞれ端部がケース１２の周壁１６Ａ又は周壁１８Ａと連設されることで、その外側とリール１４の設置空間とを仕切っている。
【００３９】
袋部２８Ａの位置規制用穴及び袋部２９の位置規制用穴２９Ａには、ドライブ装置側に設けられた位置決め部材（図示省略）が挿入されるようになっている。そして、下ケース１８の下面で、袋部２９の位置規制用穴２９Ａの周囲にはドライブ装置に対する高さ方向の位置規制用となる基準面２９Ｂが形成されている。この基準面２９Ｂは、下ケース１８の他の下面とは異なる平滑な面状に形成されており、袋部２９の肉厚と略同じ幅か、それよりも幅広なリング状に形成されている。なお、袋部２８Ａの位置規制用穴の周囲にも同様の基準面が形成されることは言うまでもない。
【００４０】
また、下ケース１８の前壁１２Ａで、かつ左壁１２Ｃ側には、内側に略三角形状に凹んだ位置規制用凹部６４が形成されている。この位置規制用凹部６４は、ドライブ装置側の係合部材（図示省略）と係合することにより、上記した位置決め部材に対する袋部２８Ａの位置規制用穴及び袋部２９の位置規制用穴２９Ａの位置決めを行う位置決め手段の１つになっている。
【００４１】
また、図示するように、上ケース１６の左前側の隅角部には、平面視で略台形状に切り欠いたような凹状の許容部６０が形成されている。この許容部６０は、上ケース１６の前方と左側方が開放されるように、上ケース１６の上面から１段低くなるように形成され、その後壁６２は、平面視で矢印Ｂ方向と平行になるように形成されている。また、この許容部６０は、記録テープカートリッジ１０のドライブ装置への誤った方向からの装填を防止する指標になるとともに、そのドライブ装置での記録・再生が可能である場合に、ドライブ装置側の棒状ストッパー７０が前壁１２Ａと当接するのを回避できるように構成されている。
【００４２】
すなわち、このストッパー７０は、例えばドライブ装置に備えられたバケット（図示省略）等に、上ケース１６側の前壁１２Ａと対峙するように突設され、世代の異なる（記録・再生能力の異なる）ドライブ装置毎にその長さが異なるように構成されている。そして、記録テープカートリッジ１０の許容部６０の幅も、世代が異なる（記録容量等が異なる）毎に異なる幅となるように構成され、この許容部６０が、ストッパー７０を許容（ストッパー７０と前壁１２Ａとの当接を回避）できるか、否かにより、そのドライブ装置に対して、記録テープカートリッジ１０が記録・再生可能であるか、否かの判断がされる（記録テープカートリッジ１０の世代が識別される）。
【００４３】
なお、ストッパー７０は、記録テープカートリッジ１０が挿入された時点（バケットが移動し始めるよりも前）で、その前壁１２Ａに当接するか、又は許容部６０によって回避されるように構成されているので、記録テープカートリッジ１０の世代の識別、即ちその記録テープカートリッジ１０がそのドライブ装置で記録・再生可能か、否かの判断が即座にできる利点がある。
【００４４】
そして、この許容部６０における後壁６２のケース厚み方向の延長面が、少なくとも基準面２９Ｂの領域内に懸かるように構成されている。すなわち、通常は、上記した位置規制用凹部６４にドライブ装置側の係合部材が係合（当接）することにより、位置決め部材と位置規制用穴２９Ａとの位置決めがなされるが、ドライブ装置に位置規制用凹部６４に係合（当接）する係合部材が設けられていない場合でも、両者の位置決めが精度よくなされるように、後壁６２が利用できるようになっている。
【００４５】
つまり、ストッパー７０は、許容部６０によって記録テープカートリッジ１０のドライブ装置への装填（移動）を許容し、位置規制用凹部６４に係合部材が係合（当接）しない場合等、少なくとも位置決め手段の１つが機能しないときには、その後壁６２に当接する（位置決め手段が全て機能しているときには、当接しても、当接しなくてもよい）。したがって、この状態の後、位置規制用穴２９Ａにドライブ装置側の位置決め部材が挿入されるように構成すれば、ドライブ装置に対する位置決めで重要な位置規制用穴２９Ａの位置決めを、ストッパー７０で補助する（位置決めする）ことができるようになり、ドライブ装置に対する記録テープカートリッジ１０の位置精度を向上させることができる。
【００４６】
以上のような構成の記録テープカートリッジ１０において、次に、本実施の形態の作用について説明する。上記構成の記録テープカートリッジ１０では、不使用時（保管時や運搬時等）には、開口２０がドア５０によって閉塞されている。そして、磁気テープＴを使用する際には、記録テープカートリッジ１０を矢印Ａ方向に沿ってドライブ装置へ装填する。
【００４７】
このとき、許容部６０が形成されているので、記録テープカートリッジ１０はその装填方向を間違わずに装填することができる。そして、ドライブ装置に突設されたストッパー７０が許容部６０に許容されるか、否かにより、そのドライブ装置での記録・再生が可能か、否かの判断がされる。
【００４８】
ストッパー７０が許容部６０によって前壁１２Ａとの当接を回避されると、その記録テープカートリッジ１０がそのドライブ装置で記録・再生可能と判断され、記録テープカートリッジ１０はドライブ装置に装填される。そして、その装填に伴って、ドライブ装置の開閉部材（図示省略）が、前方へ開放しているスリット４０に進入し、ドア５０の操作突起５２に係合する。
【００４９】
この状態で、記録テープカートリッジ１０（ケース１２）を更に押し込むと、その押し込み力によってコイルばね５６の付勢力に抗しつつ、開閉部材が操作突起５２を後方へ移動させる（矢印Ａ方向へ装填されるケース１２に対して後方へ相対移動させる）。すると、その操作突起５２が突設されているドア５０は、凸部５１がガイド壁部４２によって案内されつつ、その湾曲方向に沿って平面視時計方向に回動する。
【００５０】
すなわち、ドア５０は、ガイド壁部４２によって、その湾曲形状に沿った移動軌跡からはみ出すことなく、ピン保持部２４及びリール１４の外側を回り込むように略後方へ移動し、開口２０を開放する。そして、ケース１２（記録テープカートリッジ１０）がドライブ装置に所定深さ装填されると、開口２０が完全に開放される。このとき、位置規制用凹部６４にドライブ装置側の係合部材が係合（当接）して、記録テープカートリッジ１０のそれ以上の進入（装填）が阻止されるが、その係合部材が設けられていない場合には、ストッパー７０が許容部６０の後壁６２に当接して、記録テープカートリッジ１０のそれ以上の進入（装填）を阻止する。
【００５１】
この状態で記録テープカートリッジ１０の袋部２８Ａに形成された位置規制用穴と、袋部２９に形成された位置規制用穴２９Ａには、ドライブ装置の位置決め部材（図示省略）がそれぞれ挿入される。このとき、特に許容部６０における後壁６２のケース厚み方向の延長面が、少なくとも基準面２９Ｂの領域内に懸かっているので（換言すれば、袋部２９（位置規制用穴２９Ａ、基準面２９Ｂを含む）の鉛直上方向には、許容部６０の後壁６２が位置しているので）、その後壁６２の位置がストッパー７０によって規定されることにより、位置決め部材に対する位置規制用穴２９Ａの位置がより精確に規定される。
【００５２】
こうして、袋部２８Ａに形成された位置規制用穴と、袋部２９に形成された位置規制用穴２９Ａに位置決め部材が挿入され、記録テープカートリッジ１０がドライブ装置内で精確に位置決めされると、ドア５０はそれ以上の回動（略後方への移動）が規制され、開放された開口２０からはドライブ装置の引出手段がケース１２内に進入し、この引出手段がピン保持部２４に位置決め保持されたリーダーピン２２を抜き出す。
【００５３】
このとき、開口２０は、右前角部が切り欠かれて形成されることで、その開放面が矢印Ａ方向及び矢印Ｂ方向に向くため、ドライブ装置の引出手段が、矢印Ａ方向、矢印Ｂ方向、あるいは矢印Ａ方向と矢印Ｂ方向との間からアクセスしてリーダーピン２２をチャックできる。すなわち、ドライブ装置の引出手段が、リーダーピン２２をチャックできる領域が広がるため、引出手段の仕様に合わせて、ピン保持部２４の配設位置を設定でき、ドライブ装置の設計の自由度を広げることができる。
【００５４】
開口２０から抜き出されたリーダーピン２２は図示しない巻取リールに収容される。そして、その巻取リールとリール１４とを同期して回転駆動することにより、磁気テープＴは、巻取リールに巻き取られつつ順次ケース１２から引き出され、所定のテープ経路に沿って配設された記録再生ヘッド等によって情報の記録や再生が行われる。
【００５５】
一方、磁気テープＴがリール１４に巻き戻されて、記録テープカートリッジ１０をドライブ装置から排出する際には、位置規制用穴２９Ａ等から位置決め部材が抜き出され、記録テープカートリッジ１０の位置決め状態が解除される。そして、その記録テープカートリッジ１０は、コイルばね５６の付勢力又は図示しないイジェクト機構によって、矢印Ａ方向とは反対方向に移動される。
【００５６】
この移動に伴って、ドア５０は、その凸部５１がガイド壁部４２に案内されつつ、コイルばね５６の付勢力によって開口２０の閉塞方向へ回動し、開口２０を完全に閉塞する（初期状態に復帰する）。そして、ストッパー７０も許容部６０の後壁６２から離間し、記録テープカートリッジ１０がドライブ装置から排出される。
【００５７】
【発明の効果】
以上、何れにしても本発明によれば、ドライブ装置に対する記録テープカートリッジの位置精度を向上させることができる。
【図面の簡単な説明】
【図１】記録テープカートリッジの概略斜視図
【図２】記録テープカートリッジの概略分解斜視図
【図３】上ケースに形成された許容部と下ケースに形成された位置規制用穴及び基準面の位置関係を示す概略斜視図
【図４】上ケースに形成された許容部と下ケースに形成された位置規制用穴及び基準面の位置関係を示す概略側面図
【図５】上ケースに形成された許容部と下ケースに形成された位置規制用穴及び基準面の位置関係を示す概略平面図
【符号の説明】
１０    記録テープカートリッジ
１２    ケース
１６    上ケース
１８    下ケース
２０    開口
２２    リーダーピン
２９    袋部
２９Ａ  位置規制用穴
２９Ｂ  基準面
６０    許容部
６２    後壁
６４    位置規制用凹部
７０    ストッパー（係合部材）
【図１】
0004009139.tif 000002
【図２】
0004009139.tif 000003
【図３】
0004009139.tif 000004
【図４】
0004009139.tif 000005
【図５】
0004009139.tif 000006